(57)【特許請求の範囲】
【請求項１】
フォーカシングスクリーンと、該フォーカシングスクリーンの接眼レンズ側に配置され、複数の焦点検出領域に対応するファインダー視野内での位置をスーパーインポーズ表示させるための複数の投光用光源とを有し、
前記フォーカシングスクリーンは、接眼レンズ側がピント状態を確認するための拡散機能を有したマット面で形成され、該マット面の裏側に集光作用をもつフレネルレンズ部が形成されており、
前記フレネルレンズ部には平面部が前記複数の焦点検出領域に対応して設けられ、前記投光用光源からの光を使用者の目に導くように反射面を有する複数の微細プリズムの集合体で形成された全反射プリズムが前記複数の焦点検出領域に対応して前記平面部上に設けられていることを特徴とする一眼レフカメラのファインダー内表示装置。
【請求項２】
前記微細プリズムは、隣接する該微細プリズムと連続的に形成されることを特徴とする請求項１に記載の一眼レフカメラのファインダー内表示装置。
【請求項３】
前記スーパーインポーズ表示は、前記焦点検出領域内のみを表示するポイント表示であることを特徴とする請求項１または２に記載の一眼レフカメラのファインダー内表示装置。
【請求項４】
前記投光用光源は、ペンタミラーの接眼レンズ側の後頭部に配置されることを特徴とする請求項１ないし３のいずれかに記載の一眼レフカメラのファインダー内表示装置。
【請求項５】
請求項１ないし４のいずれかに記載のファインダー内表示装置と、内蔵の閃光発光装置とを有し、
前記閃光発光装置の発光部が、ペンタミラーの前頭部に配置されていることを特徴とする一眼レフカメラ。
【発明の詳細な説明】
【技術分野】
【０００１】
本発明は、ＡＦ（オートフォーカス）用焦点検出領域のスーパーインポーズ表示機能を有する一眼レフカメラのファインダー内表示装置及び一眼レフカメラに関するものである。
【背景技術】
【０００２】
従来、例えば特許文献１や特許文献２に記載されているようなスーパーインポーズ表示機能を有するカメラが知られている。この従来のカメラでは、ペンタプリズム前方に配置された照明手段からの光束を、投光レンズを介してハーフミラーで構成されたクイックリターンミラーで反射させ、フォーカシングスクリーン上に配置された複数の表示部を照明している。
【０００３】
また、特許文献３では、ペンタプリズム前頭部に照明手段を設け、ペンタプリズム内を透過してフォーカシングスクリーン上に設けられた表示体を照明している。さらに、特許文献４では、シャッタースピードや絞り値を表示するファインダー内の情報表示部に測距点に対応する測距点表示部を設けているカメラもある。
【０００４】
しかしながら、上記特許文献１や特許文献２では、照明手段からフォーカシングスクリーンまでの光路が長く、また、投光レンズやメインミラー等によって何度も光束が屈折、反射を繰り返すうえに、メインミラーはハーフミラーであるため導光効率がかなり悪いものとなってしまう。そのため、照明手段のスペースが大きくなり、更に調整作業も必要となるのでカメラ自体の大型化や生産性の低下、コストアップを招いてしまう。また、焦点検出枠をＬＥＤ光で照明する場合、明るいところでの撮影では問題ないが、暗いところでの撮影では、光る部分が多いので、逆に煩わしく見えてしまう問題がある。
【０００５】
また、特許文献３では、フォーカシングスクリーンをペンタプリズムを透過して照明するので、光路が短く導光効率は良いが、照明手段をペンタプリズム前頭部に配置しているので、ペンタプリズム前頭部に内蔵式の閃光発光装置を配置することが困難となってしまう。また、フォーカシングスクリーン上の表示体はミラー面であるので、被写体光を透過することが無いためにファインダーを覗いたときにはブラックアウトされ、二本線や十字などの形状では、被写体像が見ずらくなってしまう。また、ミラー面は、金属膜蒸着を行なっており、製造コストが高価な上、蒸着位置ずれの発生により、傾斜面と蒸着部がずれて見え、高品位な見えの実現は困難である。
【０００６】
また、特許文献４では、ファインダー視野外にシャッタースピードや絞り値を表示する既存のファインダー内情報表示部に測距点に対応する測距点表示部を設けているので、コストアップすることなく選択された測距点を表示する事が出来るが、実際の測距点とは表示が離れているので視認性が良いとは言えない。
【０００７】
上記の点に鑑み、本願出願人は、低コスト化、小型化を可能にするとともに、照明光の調整を不要とすることによる生産性の向上、撮影者に違和感を与えずに視認性の良いスーパーインポーズを実現可能なカメラを提案している（特許文献５）。
【０００８】
図１５及び図１６に、上記提案のカメラの主要部構成を示す。図１５は従来例のスーパーインポーズ照明について説明するための斜視図、図１６は図１５の反射部拡大イメージ図である。その内容は、複数の焦点検出領域を有するＡＦ（オートフォーカス）装置と、該複数の焦点検出領域に対応するＡＦ用焦点検出領域スーパーインポーズ表示を有するカメラにおいて、フォーカシングスクリーンの接眼レンズ側に投光用光源を配置し、フォーカシングスクリーンの接眼レンズ側に前記複数の焦点検出領域に対応してポイント表示するためのスーパーインポーズ表示パターン７０を形成している。このスーパーインポーズ表示パターン７０は、反射角度形成面群８０と、該反射角度形成面群８０より小さい面積で形成された反射用表面処理部（金属による反射蒸着処理が成された部分）９０により成り、該スーパーインポーズ表示パターン７０を投光用光源により照射することによりＡＦ用スーパーインポーズ表示を行う構成としている。
【特許文献１】特開平１−２７７２２５号公報
【特許文献２】特開平５−３３３２５９号公報
【特許文献３】特開平４−２７８９３１号公報
【特許文献４】特開平１０−０４８７３３号公報
【特許文献５】特開２００４−０８５８０８号公報
【発明の開示】
【発明が解決しようとする課題】
【０００９】
しかしながら、上記提案のカメラでは、フォーカシングスクリーンのマット面のスーパーインポーズ表示パターン７０を、上記のように反射角度形成面群８０と反射用表面処理部９０により形成しているため、製造コストが比較的高く（特許文献１〜４に比べれば低いが）、また、蒸着位置ずれの発生で、見えの品位が良くないという課題を有していた。また、投光用光源が小さいため、目を振るとケラレ易いという難点もあった。
【００１０】
（発明の目的）
本発明の第１の目的は、低コスト化を実現するとともに、スーパーインポーズ表示の位置ずれが無く、更に照明光のケラレの無い高品位で視認性の良いスーパーインポーズ表示とすることのできる一眼レフカメラのファインダー内表示装置を提供しようとするものである。
【００１１】
本発明の第２の目的は、全反射プリズムの高さを低くすることができ、均一な視度で視認できるスーパーインポーズ表示とすることのできる一眼レフカメラのファインダー内表示装置を提供しようとするものである。
【００１３】
本発明の第３の目的は、フレネルレンズ部と全反射プリズムの干渉が無く、製作時、全反射プリズム部の加工性が向上すると同時に、端面の見えもすっきりとしたスーパーインポーズ表示とすることのできる一眼レフカメラのファインダー内表示装置を提供しようとするものである。
【課題を解決するための手段】
【００１７】
上記第１の目的を達成するために、本願発明は、フォーカシングスクリーンと、該フォーカシングスクリーンの接眼レンズ側に配置され、複数の焦点検出領域に対応するファインダー視野内での位置をスーパーインポーズ表示させるための複数の投光用光源とを有し、前記フォーカシングスクリーンは、接眼レンズ側がピント状態を確認するための拡散機能を有したマット面で形成され、該マット面の裏側に集光作用をもつフレネルレンズ部が形成されており、前記フレネルレンズ部には平面部が前記複数の焦点検出領域に対応して設けられ、前記投光用光源からの光を使用者の目に導くように反射面を有する複数の微細プリズムの集合体で形成された全反射プリズムが前記複数の焦点検出領域に対応して前記平面部上に設けられていることを特徴とする一眼レフカメラのファインダー内表示装置とするものである。
【発明の効果】
【００２５】
以上説明したように、請求項１に記載の発明によれば、低コスト化、小型化を実現するとともに、表示部の位置ずれが無く、更に照明光のケラレの無い高品位で視認性の良いスーパーインポーズ表示を行うことができる一眼レフカメラのファインダー内表示装置を提供できるものである。
【００２６】
また、請求項２に記載の発明によれば、全反射プリズムの高さを低くすることができ、均一な視度で視認できるスーパーインポーズ表示とすることができる一眼レフカメラのファインダー内表示装置を提供できるものである。
【００２７】
また、請求項３に記載の発明によれば、有効反射領域を最大限に確保し、反射光量を十分に確保した明るいスーパーインポーズ表示とすることができる一眼レフカメラのファインダー内表示装置を提供できるものである。
【００２８】
また、請求項４に記載の発明によれば、フレネルレンズ部と全反射プリズムの干渉が無く、製作時、全反射プリズム部の加工性が向上すると同時に、端面の見えもすっきりとしたスーパーインポーズ表示とすることができる一眼レフカメラのファインダー内表示装置を提供できるものである。
【００２９】
また、請求項５に記載の発明によれば、ファインダーを覗いたとき、点灯時には明確に視認でき、更に、非点灯時には煩わしくないスーパーインポーズ表示を行うことができる一眼レフカメラのファインダー内表示装置を提供できるものである。
【００３０】
また、請求項６に記載の発明によれば、小型化が実現できると同時に、全反射プリズムの面の形成を素直な形で実現することができる一眼レフカメラのファインダー内表示装置を提供できるものである。
【００３１】
また、請求項７に記載の発明によれば、スーパーインポーズ機能と内蔵ストロボ機能を両立させた一眼レフカメラを提供できるものである。
【発明を実施するための最良の形態】
【００３２】
以下の実施例１及び実施例２に示す通りである。
【実施例１】
【００３３】
図１は、本発明の実施例１に係わる一眼レフカメラの中央縦断面図である。不図示の撮影光学系（結像光学系）を介した被写体光Ｌは、メインミラー（ハーフミラー）２が観察位置（図１の位置、ミラーダウン位置）にある時には、メインミラー２により反射されて、撮影光学系の予定結像面に配置されたフォーカシングスクリーン３の上面のマット面３Ｘに被写体像が投影される。フォーカシングスクリーン３の下面は被写体光を集光するフレネルレンズ面３Ｙである。そして、フォーカシングスクリーン３に投影された被写体像が集光正立正像に変更する中空形状のペンタミラー（以下、中空ペンタ）４、第３反射ミラー５、接眼レンズ群６を介して撮影者により観察される。一方、メインミラー２がミラーアップして不図示の撮影位置（ミラーアップ位置）にある時には、フォーカルプレーンシャッター７を駆動して被写体光ＬによってフィルムＦが露光される。
【００３４】
接眼レンズ群６の上部には、被写体輝度を測定するための公知の測光レンズ８と測光センサー９とが配置されている。接眼レンズ群６の下部には、ファインダー視野外に撮影情報を表示するためのファインダー内情報表示用ＬＣＤ１０、ファインダー内情報表示用ＬＥＤ１１、ＬＣＤ１０の透過光をファインダーに導くための三角プリズム１２が配置されている。中空ペンタ４と測光レンズ８の間には、スーパーインポーズ用の照明手段が配置されているが、詳細は図２及び図３で説明する。
【００３５】
メインミラー２の背後にはサブミラー１３があり、メインミラー（ハーフミラー）２を透過した光束をカメラボディー下方の焦点検出装置１５へ向けて反射する。焦点検出装置１５は、結像面近傍に配置されたフィールドレンズ１５ａ、反射ミラー１５ｂ、絞り１５ｃ、２次結像レンズ１５ｄ、ＡＦセンサー１５ｅで構成されている。本実施例１における焦点検出装置１５は公知の位相差式により焦点検出を行うものであり、図４に示すように観察画面内（ファインダー視野内）の複数領域（７箇所）を焦点検出領域として、焦点検出可能となるように構成されている。
【００３６】
アクセサリーシュー１７はカメラ本体の上面でレンズ光軸の真上に設けられており、外付けの閃光発光装置等の接続が可能である。
【００３７】
カメラ内蔵閃光発光装置の発光部２０は、Ｘｅ管２０ａ、反射傘２０ｂ、パネル２０ｃ、トリガーコイル２０ｄで構成され、非使用時は図１の様に中空ペンタ４の前頭部に配置されており、使用するときには、不図示のヒンジ軸を回転中心に時計方向に回動することで、カメラ上方にポップアップする。
【００３８】
図２は、本実施例１におけるスーパーインポーズの照明手段の分解斜視図である。スーパーインポーズ照明用ＬＥＤ３０は中空ペンタ４の接眼レンズ群９側の後頭部に配置されており、フォーカシングスクリーン３の焦点検出領域に対応する複数の位置に７つのチップタイプＬＥＤを配置した（各々ＬＥＤ−Ｃ＿３０ａ，ＬＥＤ−Ｌ１＿３０ｂ，ＬＥＤ−Ｌ２＿３０ｃ，ＬＥＤ−Ｒ１＿３０ｄ，ＬＥＤ−Ｒ２＿３０ｅ，ＬＥＤ−Ｔ＿３０ｆ，ＬＥＤ−Ｂ＿３０ｇ）ものによって構成されている。拡散板３１は、スーパーインポーズ照明用ＬＥＤ３０の照明光を拡散し、照明範囲を広げると共に、スーパーインポーズ照明用ＬＥＤ３０の製造上のワイヤーボンディングの影などが照明する際に見難くする働きをする。絞り３２は、スーパーインポーズ照明用ＬＥＤ３０からの不用な照明光によりゴーストが発生するのを防止している。スーパーインポーズ用プリズム３３は反射面３３ａに反射蒸着処理を施す事によってスーパーインポーズ照明用ＬＥＤ３０からの照明光を中空ペンタ４の開口４ａから中空ペンタ４内に照明光を導入し、フォーカシングスクリーン３の各焦点検出領域に対応した焦点検出枠に照明光を当てる。
【００３９】
図３は、実際にスーパーインポーズ照明用ＬＥＤ３０がフォーカシングスクリーンの各焦点検出枠を照明する様子を図示した斜視図ある。図３中の中空ペンタ４と第３反射面５は中央で切断した断面として図示している。
【００４０】
同図において、ＬＥＤ−Ｃ＿３０ａは中央焦点検出枠３ａ近傍を、ＬＥＤ−Ｌ１＿３０ｂは左中焦点検出枠３ｂ近傍を、ＬＥＤ−Ｌ２＿３０ｃは左焦点検出枠３ｃ近傍を、ＬＥＤ−Ｒ１＿３０ｄは右中焦点検出枠３ｄ近傍を、ＬＥＤ−Ｒ２＿３０ｅは右焦点検出枠３ｅ近傍を、ＬＥＤ−Ｔ＿３０ｆは上焦点検出枠３ｆ近傍を、ＬＥＤ−Ｂ＿３０ｇは下焦点検出枠３ｇ近傍を、それぞれ照明する。照明光は、各焦点検出枠３ａ，３ｂ，３ｃ，３ｄ，３ｅ，３ｆ，３ｇの中央裏面フレネルレンズ面３Ｙに設けた全反射プリズム３ｈ，３ｉ，３ｊ，３ｋ，３ｌ，３ｍ，３ｎで反射され、中空ペンタ４、第３反射面５、接眼レンズ群６を介して観察される。  
【００４１】
図４は、本実施例１におけるカメラのファインダー画面である。撮影画面内には、焦点検出装置１５の焦点検出領域に対応した７つの焦点検出枠３ａ，３ｂ，３ｃ，３ｄ，３ｅ，３ｆ，３ｇがある。図３に対して、中空ペンタ４、第３反射ミラー５を介して見ていることになるので、左右が反転した位置関係になっている。スーパーインポーズ照明用ＬＥＤ光は、各焦点検出枠内の全反射プリズム３ｈ，３ｉ，３ｊ，３ｋ，３ｌ，３ｍ，３ｎをカバーするように、かつ隣の焦点検出枠内の反射領域を照明しないような光束で投光されている。焦点検出枠のプリズム部は被写体光Ｌの一部を透過するので、周囲のマット部よりは暗い半透過状態として撮影者に観察される。また、各焦点検出枠３ａ，３ｂ，３ｃ，３ｄ，３ｅ，３ｆ，３ｇの中央に設けられた反射面領域も暗い半透過状態として撮影者に観察される。よって、撮影者には黒点として認識される。この全反射プリズムの大きさは、スーパーインポーズのＬＥＤ光を反射するときには認識しやすく、また通常のファインダー画像として観察するときには邪魔にならないように、φ０．２ｍｍ未満の領域であることが好ましい。
【００４２】
視野の下側には、シャッタースピードや絞り、閃光発光装置の充電完了表示など撮影者が撮影に関して必要な情報を表示するファインダー内情報表示部３５がある。
【００４３】
図５は、本実施例１におけるスーパーインポーズ照明方式の説明図である。フォーカシングスクリーン３の上面（接眼レンズ側）はマット面３Ｘを形成し、その裏の下面はフレネルレンズ面３Ｙを形成している。Ｓは中央の焦点検出枠３ａのスーパーインポーズ用にスーパーインポーズ照明用ＬＥＤ３０から投光される光線を示しており、中央の焦点検出枠３ａのスーパーインポーズの原理を代表例として説明する。焦点検出枠３ａはマット面３Ｘ上に設けられている。この部分は、スーパーインポーズ照明用ＬＥＤ３０から投光されても光らない。全反射プリズム３ｈはフォーカシングスクリーン３のフレネルレンズ面３Ｙに形成されており、スーパーインポーズ照明用ＬＥＤ３０から投光された光線を撮影者の目（アイポイント）へ導くよう全反射プリズムとなっている。
【００４４】
図６は、本実施例１におけるフォーカシングスクリーン３のフレネルレンズ面３Ｙ側を示す図である。つまり、図５の下方からフォーカシングスクリーン３を見た図である。フレネルレンズ面３Ｙに全反射プリズム３ｈ，３ｉ，３ｊ，３ｋ，３ｌ，３ｍ，３ｎが形成されている。
【００４５】
以下、全反射プリズム３ｈ，３ｉ，３ｊ，３ｋ，３ｌ，３ｍ，３ｎの構成の詳細を説明する。
【００４６】
図７〜図１１は、図６に示す全反射プリズム３ｈ，３ｉ，３ｊ，３ｋ，３ｌ，３ｍ，３ｎの７箇所のうち代表的５箇所の詳細形状を示す図である。詳しくは、図７（ａ）は全反射プリズム３ｎの平面図、図７（ｂ）は同じく全反射プリズム３ｎの側面図であり、図８（ａ）は全反射プリズム３ｈの平面図、図８（ｂ）は同じく全反射プリズム３ｈの側面図であり、図９（ａ）は全反射プリズム３ｍの平面図、図９（ｂ）は同じく全反射プリズム３ｍの側面図である。また、図１０（ａ）は全反射プリズム３ｌの平面図、図１０（ｂ）は同じく全反射プリズム３ｌの側面図であり、図１１（ａ）は全反射プリズム３ｋの平面図、図１１（ｂ）は同じく全反射プリズム３ｋの側面図を示す図である。全反射プリズム３ｉと３ｊはそれぞれ全反射プリズム３ｋと３ｌの対称形となるので図示を省略している。
【００４７】
また、図１２は、本実施例１における全反射プリズム３ｈ，３ｉ，３ｊ，３ｋ，３ｌ，３ｍ，３ｎのうちの全反射プリズム３ｋの構成を示すイメージ図であり、図１３は、本実施例１における微細プリズム４０の配列の詳細を示す図である。
【００４８】
全反射プリズム３ｈ，３ｉ，３ｊ，３ｋ，３ｌ，３ｍ，３ｎは、フレネルレンズ面３Ｙに形成される。フレネルレンズ面３Ｙは、図１２で示すように階段状の曲面で形成されるため、微細プリズム４０（ここでは４０ｋ）を直接形成しようとするとフレネルレンズ面３Ｙとのつなぎ部の形状が複雑になり、金型の加工時、精度良く仕上げることが困難であると同時に微細プリズム集合体の外周の形状が乱れ、見えも良くない。そのため、本実施例１においては、平面部５０（ここでは５０ｋ）を設け、上記問題点を解決している。平面部５０はポイント表示の見えを良くするために略円形の台座としている。全反射プリズム３ｉ，３ｊ，３ｌ，３ｍ，３ｎも同様である。但し、中央の全反射プリズム３ｈのみは、中央のためフレネルレンズ面３Ｙの段差が無いため、図８（ａ）に示すように平面部は設けていない。しかし他の表示部との見えを合わせるため、平面部５０ｈを設けても良いことは言うまでも無い。
【００４９】
次に、微細プリズム４０に関し説明する。
【００５０】
微細プリズム４０は図１３に示すように頂角９０度の全反射プリズムであり、全プリズムとも同一のバイト（刃先）を傾けることにより加工可能なように工夫されている。図７から図９で示される光軸上の全反射プリズム３ｎ，３ｈ，３ｍは頂点が光軸（被写体光Ｌが入射するレンズ光軸）に沿って配置され、側面図（各図（ｂ）参照）で示される傾きは、図１で示すように、投光用光源から投光された光線が撮影者の目（アイポイント）に導かれるような反射角が設定されている。本実施例１において、微細プリズム４０の頂点のピッチ（隣接する頂点と頂点の距離）は１６μｍであり、光軸方向のピッチは３０μｍである。
【００５１】
図１０及び図１１で示される周辺の全反射プリズム３ｌ，３ｋは、アイポイントへ向けて光線を反射させるため、回転させて配置されている。微細プリズム４０の詳細形状は図１３で示すように金型加工用のバイトのテーパが残るが、同図に示すように隙間無く隣接して配置することにより、全反射面を最大限に広くしている。配列方法としては、並列配置である。
【実施例２】
【００５２】
図１４は本発明の実施例２における微細プリズムの配列の詳細を示す図である。本実施例２では、微細プリズム６０を千鳥配列としたものであり、図１３の微細プリズム４０の並列配置と同様、隣接配置することにより、最大限に広くして、明るい表示を実現することができる。
【００５３】
最後に、各実施例における効果について、以下にまとめて列挙する。
（１）  全反射プリズム３ｈ，３ｉ，３ｊ，３ｋ，３ｌ，３ｍ，３ｎを採用することで、特許文献５のように反射面を金属蒸着面とする必要がなくなり、プラスチック成形で製造されるフォーカシングスクリーン３の一部品のみの後処理も無しに全機能を実現できる。よって、小型化を損なうことなく、低コスト、かつ、表示部の位置ずれ等の無い高品位で視認性の良いスーパーインポーズを実現することができる。更に、接眼レンズ群６と全反射プリズム３ｈ〜３ｎ間にマット面３Ｘが介在するため、照明光のケラレの無い高品位で視認性の良いスーパーインポーズを実現できる。
（２）  全反射プリズム３ｈ，３ｉ，３ｊ，３ｋ，３ｌ，３ｍ，３ｎを微細プリズム４０もしくは微細プリズム６０の集合体で形成したため、プリズムの高さを低くすることができ、均一な視度で視認できるスーパーインポーズ表示を実現できる（撮影者が接眼レンズを介してフォーカシングレンズを覗く際、プリズムの高さが低いとき、目でピントを合わせるのであれば、ほぼ同一面を視認することになるため、見えが全体的に均一（同一視度）に見える）。更に、スーパーインポーズ表示形状を決定する全反射プリズムの外形形状を自由にコントロールできる効果がある。
（３）  微細プリズム４０，６０を連続的に形成したため、有効反射領域を最大限に確保でき、反射光量を十分に確保した明るいスーパーインポーズ表示を実現できる。
（４）フレネルレンズ部とは独立に設けた平面部５０内に全反射プリズム３ｉ〜３ｎを形成しているので、フレネルレンズ部と全反射プリズムの干渉が無く、金型製作時、プリズムレンズ部の加工性が向上すると同時に、端面の見えもすっきりとしたスーパーインポーズ表示を実現できる。
（５）  ＡＦ用焦点検出領域スーパーインポーズ表示をポイント表示としているので、ファインダーを覗いたとき、点灯時には明確に視認でき、更に、非点灯時には煩わしくないスーパーインポーズ表示を提供できる。
（６）  装置を小型化できると同時に、ファインダー光軸に沿って投光する構成としたので、全反射プリズムの面の形成を素直な形で実現できる。つまり、ファインダー光軸に沿って投光しアイポイント方向へ光を反射させるため、全反射プリズムの角度を極端に傾けたりする必要がない。
（７）  カメラ内蔵閃光発光装置の発光部２０を中空ペンタ４の前頭部に配置しているので、スーパーインポーズ機能と内蔵ストロボ機能を両立させたカメラを提供できる。
【図面の簡単な説明】
【００５４】
【図１】本発明の実施例１に係わるカメラの中央縦断面図である。
【図２】本発明の実施例１におけるスーパーインポーズの照明手段の分解斜視図である。
【図３】本発明の実施例１における焦点検出枠の照明状態を示す図である。
【図４】本発明の実施例１におけるファインダー視野内図である。
【図５】本発明の実施例１におけるスーパーインポーズ照明方式を説明する為の斜視図である。
【図６】本発明の実施例１におけるフォーカシングスクリーンのフレネルレンズ面を示す図である。
【図７】図６における全反射プリズム３ｎの平面及び側面を示す図である。
【図８】図６における全反射プリズム３ｈの平面及び側面を示す図である。
【図９】図６における全反射プリズム３ｍの平面及び側面図である。
【図１０】図６における全反射プリズム３ｌの平面及び側面図である。
【図１１】図６における全反射プリズム３ｋの平面及び側面図である
【図１２】本発明の実施例１における全反射プリズムの構成を示すイメージ図である。
【図１３】本発明の実施例１における微細プリズムの配列詳細を示す図である。
【図１４】本発明の実施例２における微細プリズムの配列詳細を示す図である。
【図１５】従来例のスーパーインポーズ照明方式を説明する為の斜視図である。
【図１６】従来例の反射部拡大イメージ図である。
【符号の説明】
【００５５】
１          カメラ本体
２          メインミラー
３          フォーカシングスクリーン、
３Ｘ        マット面
３Ｙ        フレネルレンズ面
３ａ〜３ｇ  焦点検出枠
３ｈ〜３ｎ  全反射プリズム、
４          中空ペンタ
５          第３反射ミラー
６          接眼レンズ群
７          フォーカルプレーンシャッター
８          測光レンズ
９          測光センサー
１０        ファインダー内情報表示用ＬＣＤ
１１        ファインダー内情報表示用ＬＥＤ
１２        三角プリズム
１３        サブミラー
１５        焦点検出装置
１７        アクセサリーシュー
２０        内蔵閃光発光装置の発光部
３０        スーパーインポーズ照明用ＬＥＤ（投光用光源）
３１        拡散板
３２        絞り
３３        スーパーインポーズ用プリズム
４０        微細プリズム
５０        平面部
６０        微細プリズム
【図１】
0004717377.tif 000002
【図２】
0004717377.tif 000003
【図３】
0004717377.tif 000004
【図４】
0004717377.tif 000005
【図５】
0004717377.tif 000006
【図６】
0004717377.tif 000007
【図７】
0004717377.tif 000008
【図８】
0004717377.tif 000009
【図９】
0004717377.tif 000010
【図１０】
0004717377.tif 000011
【図１１】
0004717377.tif 000012
【図１２】
0004717377.tif 000013
【図１３】
0004717377.tif 000014
【図１４】
0004717377.tif 000015
【図１５】
0004717377.tif 000016
【図１６】
0004717377.tif 000017